(57)【要約】【課題】温水循環路に備えた水タンクの水が簡単な構成であふれにくくする温水利用装置を提供することを目的とする。【解決手段】湯を貯える貯湯タンク１１と、貯湯タンク１１に貯えられた湯を送水する一次側送水手段１３を備えた一次側循環路１２と、貯湯タンク１１の湯を熱源として湯を循環する二次側循環路１５と、二次側循環路１５内の水を送水する二次側送水手段１６と、二次側循環路１５内の湯を熱源として利用する放熱手段１７と、二次側循環路１５内の水の膨張に対応する水タンク１８と、一次側循環路１２の湯と二次側循環路１５の水を互いに熱交換する熱交換器１４とを備え、水タンク１８は、その上端面が、二次側循環路１５の最上部に位置する温水利用装置とし、簡単な構成で水タンクの水があふれるのを防止する。【選択図】図１
2005127621.tif 000002
【特許請求の範囲】
【請求項１】
湯を貯える貯湯タンクと、前記貯湯タンクに貯えられた湯を送水する一次側送水手段を備えた一次側循環路と、前記貯湯タンクの湯を熱源として湯を循環する二次側循環路と、前記二次側循環路内の水を送水する二次側送水手段と、前記二次側循環路内の湯を熱源として利用する放熱手段と、前記二次側循環路内の水の膨張に対応する水タンクと、前記一次側循環路の湯と前記二次側循環路の水を互いに熱交換する熱交換器とを備え、前記水タンクは、その上端面が前記二次側循環路の最上部に位置する温水利用装置。
【請求項２】
水タンクは、自動で水の供給を受ける自動給水手段を備えた請求項１記載の温水利用装置。
【請求項３】
水タンクは、手動で水の給排水ができるように上端面に給排水口を備えた請求項１または２に記載の温水利用装置。
【請求項４】
放熱手段は床暖房機とする請求項１〜３のいずれか１項に記載の温水利用装置。
【請求項５】
放熱手段は浴室乾燥機とする請求項１〜３のいずれか１項に記載の温水利用装置。
【請求項６】
二次側送水手段は熱交換器より下側に配置した請求項１〜５のいずれか１項に記載の温水利用装置。
【発明の詳細な説明】
【技術分野】
【０００１】
本発明は、温水を利用して風呂の追焚きや暖房や乾燥を行う温水利用装置に関するものである。
【背景技術】
【０００２】
従来、この種の温水利用装置は温水循環路内に水タンクを備えている（例えば特許文献１参照）。図２は、特許文献１に記載された従来の温水利用装置を示すものである。図２に示すように、第1の循環ポンプ１と、熱源側熱交換器２と、放熱側熱交換器３からなる熱媒体の循環回路４と、水タンク５と、第2の循環ポンプ６と、利用側熱交換器７および放熱器８よりなる温水の循環回路９を備えている。
【特許文献１】特開平５−１１８５６７号公報（第１図）
【発明の開示】
【発明が解決しようとする課題】
【０００３】
しかしながら、上記従来の構成では水タンクの高さ方向の位置が決められていないため、例えば水タンクが温水の循環回路の中で低い位置にある場合に、水タンクから水があふれる恐れがあり、このため、複雑な構成でこれを検知しなければならないという課題があった。
【０００４】
本発明は、上記従来の課題を解決するもので、簡単な構成で水タンクの水があふれるのを防止する温水利用装置を提供することを目的とする。
【課題を解決するための手段】
【０００５】
前記従来の課題を解決するために、本発明の温水利用装置は、水タンクの上端面を循環回路の最上部に位置するよう配置した。これによって、簡単な構成で水タンクの水があふれるのを防止する。
【発明の効果】
【０００６】
以上のように本発明の温水利用装置は、水タンクの上端面を循環回路の最上部に位置するよう配置したので、簡単な構成で水タンクの水があふれるのを防止する。
【発明を実施するための最良の形態】
【０００７】
第１の発明は、湯を貯える貯湯タンクと、前記貯湯タンクに貯えられた湯を送水する一次側送水手段を備えた一次側循環路と、前記貯湯タンクの湯を熱源として湯を循環する二次側循環路と、前記二次側循環路内の水を送水する二次側送水手段と、前記二次側循環路内の湯を熱源として利用する放熱手段と、前記二次側循環路内の水の膨張に対応する水タンクと、前記一次側循環路の湯と前記二次側循環路の水を互いに熱交換する熱交換器とを備え、前記水タンクは、その上端面が前記二次側循環路の最上部に位置するように構成しているため、簡単な構成で水タンクの水があふれるのを防止する。
【０００８】
第２の発明は、特に第１の発明の水タンクに、自動で水の供給を受ける自動給水手段を備えたので、水タンクの水が蒸発して水が減った場合でも容易に水を足すことができ便利である。
【０００９】
第３の発明は、特に第１〜２のいずれか１つの発明の水タンクは、手動で水の給排水ができるように上端面に給排水口を備えたので、水タンクの手入れができ、水タンク内にかびなどが発生した場合でもこれを掃除することができる。
【００１０】
第４の発明は、特に第１〜３のいずれか１つの発明の放熱手段は床暖房機とするので、温水を用いて床暖房ができる。
【００１１】
第５の発明は、特に第１〜３いずれか１つの発明の放熱手段は浴室乾燥機とするので、温水を用いて浴室乾燥ができる。
【００１２】
第６の発明は、特に第１〜５のいずれか１つの発明の二次側送水手段は熱交換器より下側に配置したので、二次側循環回路内に水の無い状態から、水タンクに水が供給されれば、二次側送水手段が自力で水を送水しやすくなる。
【００１３】
以下、本発明の実施の形態について図１を参照しながら説明する。なお、この実施の形態によって本発明が限定されるものではない。
【００１４】
（実施の形態１）
図１は本発明の第１の実施の形態における温水利用装置の主要部分を示す構成図である。図１において、貯湯タンク１１の湯は、一次側循環路１２に備えた一次側送水手段１３によって一次側循環路１２内を送水され、この湯は熱交換器１４によって二次側循環路１５内の水を加熱する。加熱された二次側循環路１５内の水は、二次側循環路１５に設けられた二次側送水手段１６によって二次側循環路１６内を送水され、放熱手段１７によって湯水が利用される。また、二次側循環路１６内にはこの他に水タンク１８が備えられており、その上端面は二次側循環路１６の最上部に位置する。水タンク１８には、水タンク１８内の水が蒸発等で減った場合に水道水１９を自動で給水する自動給水手段２０が備えられている。
【００１５】
貯湯タンク１１の湯は、冷めると、加熱循環路２１に設けられた加熱手段２２に送水手段２３によって送水され、ここで加熱された後、再び湯として貯湯タンク１１に貯えられる。
【００１６】
以上のように構成された温水利用装置について、以下その動作、作用を説明する。まず、貯湯タンク１１に貯えられた湯は冷めると、貯湯タンク１１底部の水が加熱循環路内２１を送水手段２３によって送水され、加熱循環路２１内に設けられた加熱手段２２によって加熱され貯湯タンク１１の上部に湯として戻される。これを繰り返すことで、貯湯タンク１１には再び上部から湯が貯えられる。
【００１７】
貯えられた湯は、必要に応じて一次側送水手段１３と二次側送水手段１６を運転させて二次側循環路１５に設けられた放熱手段１７で利用される。この時一次側循環路１２では、貯湯タンク上部から湯を取り出して熱交換器１４にて熱交換した後、温度の下がった湯を貯湯タンク１１の底部に戻すようにする。
【００１８】
ここで、加熱手段２２としては、石油、ガスを熱源とするボイラー湯沸かし器や、電気を熱源とするヒーター、あるいはヒートポンプ給湯機、特にＣＯ２冷媒を用いたもの、それに燃料電池やコージェネレーション装置などが挙げられる。なお、ヒーターを加熱手段２２とする場合、送水手段２３や加熱循環路２１を設けずに、ヒーターを直接貯湯タンク１１に入れる方法も可能である。
【００１９】
また、一次側送水手段１３、二次側送水手段１６、および送水手段１９の具体例としては、ポンプが挙げられる。
【００２０】
以上のようにして利用される水タンク１８は、その上端面が二次側循環路１５における最上部になるように配置する。これによって、水タンク１８の水が誤ってあふれるのを防ぐことができる。水タンクに備えられている自動給水手段２０は、水道水１９が流入するよう配管されており、水タンク１８内の水が減ったことを検知する水位センサと、水道水２０の通水、遮断を制御する電磁弁で構成されている。
【００２１】
二次側送水手段１６は熱交換器１４よりも低い位置に設けられているため、二次側循環路１５内に水が無い状態から、水タンク１８に水が供給され、二次側循環路１５の水の循環を開始する場合でも、二次側送水手段１６に水が自然に通水されるため、二次側送水手段１６は自給で、水の送水を開始することができる。
【００２２】
また、水タンク１８は、二次側循環回路１５からの取り外しが容易で、水タンク１８の水を手動で排水、給水が可能な構成なので、例えば水タンクの中を掃除する場合など便利である。
【００２３】
なお、二次側循環路１５に備えられた放熱手段１７としては、床暖房機、浴室暖房機、ファンコンベクター、浴室乾燥機、風呂の追焚きなどが挙げられる。
【産業上の利用可能性】
【００２４】
以上のように、本発明にかかる温水利用装置は、二次側循環路に備えた水タンクの上端面が、二次側循環路の最上部に位置するよう配置にされているため、簡単な構成で水タンクの水があふれるのを防止する。
【図面の簡単な説明】
【００２５】
【図１】本発明の実施の形態１における湯水利用装置の主要部分の構成図
【図２】従来の湯水利用装置の主要部分の構成図
【符号の説明】
【００２６】
１１  貯湯タンク
１２  一次側循環路
１３  一次側送水手段
１４  熱交換器
１５  二次側循環路
１６  二次側送水手段
１７  放熱手段
１８  水タンク
２０  自動給水手段
【図１】
2005127621.tif 000003
【図２】
2005127621.tif 000004